(57)【要約】      （修正有）【課題】種々の野菜や果物類を商品価値を低下させることなく確実に把持して、低労力かつスムーズに収穫作業を行える野菜・果物類の収穫具を提供する。【解決手段】１対の操作柄１６ａ、１６ｂを枢軸１８回りに開閉操作して１対の切断刃２０ａを開閉する鋏体１２と、切断刃の切断平面の一方側にそれぞれ固定配置され、切断刃２０ａとともに開閉して、切断刃による茎枝部の切断と同時に該茎枝部を挟持する１対の挟持部材１４ａ、１４ｂと、を備える。１対の挟持部材１４ａ、１４ｂは、閉鎖時に互いに対向する挟持部２６を有し、切断刃の切断平面に近接する側の挟持部２６の縁端位置が、切断平面から１つの切断刃の刃厚の２倍以上離隔した位置に設定される。【選択図】図１
0003153749.tif 000002
【実用新案登録請求の範囲】
【請求項１】
野菜や果物類の茎枝部を切断すると同時に該茎枝部を挟持しながら収穫操作する手動式の野菜・果物類の収穫具であって、
１対の操作柄を枢軸回りに開閉操作して１対の切断刃を開閉する鋏体と、
切断刃の切断平面の一方側にそれぞれ固定配置され、切断刃とともに開閉して、切断刃による茎枝部の切断と同時に該茎枝部を挟持する１対の挟持部材と、を備え、
１対の挟持部材は、それぞれ切断刃の切断平面から離隔した位置であって切断刃の長手方向に沿うように延在させて閉鎖時に互いに対向する挟持部を有し、
切断刃の切断平面に近接する側の挟持部の縁端位置が、切断平面から１つの切断刃の刃厚の２倍以上離隔した位置に設定されたことを特徴とする野菜・果物類の収穫具。
【請求項２】
操作柄に一端側を支持されて、１対の挟持部材をそれぞれ切断刃に固定させる固定手段が設けられた請求項１記載の野菜・果物類の収穫具。
【請求項３】
固定手段は、一端側を操作柄に支持させるとともに、他端側に挟持部材を接続支持させる中間支持板を含む請求項２記載の野菜・果物類の収穫具。
【請求項４】
挟持部材の閉鎖時の対向間隙幅を変更させ、かつ任意の変更位置で固定する挟持幅調整部が設けられた請求項１ないし３のいずれかに記載の野菜・果物類の収穫具。
【請求項５】
切断平面からの挟持部の離隔距離が異なる複数の挟持部材を有し、
それぞれの挟持部材には、中間支持板に対して着脱交換可能に取り付けさせる取付部が設けられた請求項３又は４記載の野菜・果物類の収穫具。
【請求項６】
挟持部材の閉鎖時の対向間隙は、挟持部材の先端側に向けて次第に広くなるように設定された請求項１ないし５のいずれかに記載の野菜・果物類の収穫具。
【請求項７】
挟持部材の取付部は、挟持部材の閉鎖時における対向間隙の先端側の開放角度と基端側の角度とを同時に変更させる同時変更部を含む請求項６記載の野菜・果物類の収穫具。
【請求項８】
挟持部材は、挟持部が切断刃の切断平面に対して十分な離隔位置に配置されて該挟持部と切断平面との間に十分な幅の空隙が形成された請求項１ないし７のいずれかに記載の野菜・果物類の収穫具。
【請求項９】
挟持部材は、切断刃からの起立部分を含めてコ字状、逆Ｌ字状、Ｔ字状のいずれかに形成された請求項１ないし８のいずれかに記載の野菜・果物類の収穫具。
【請求項１０】
挟持部材の挟持部は、挟持する枝茎部を傷付けるのを防止しながら滑り止めする滑り止めゴム部材で構成された請求項１ないし９のいずれかに記載の野菜・果物類の収穫具。
【考案の詳細な説明】
【技術分野】
【０００１】
本考案は、野菜や果物等を収穫する際に利用される手動式の野菜・果物類の収穫具に関する。
【背景技術】
【０００２】
ベビーリーフ等の葉野菜又はナス、トマト等の野菜類や、リンゴ、ミカン等の果物類を人手で収穫する際には、一方の手で農園芸用鋏等を操作しつつ、他方の手で野菜や果実等を持ちながらそれらの茎部や枝部を切断して収穫している。このような収穫作業は両手を使う必要があって作業能率も悪く、中腰等の疲れやすい姿勢での長時間作業となり重労働となっていた。これに対し、従来、果実の根元を切ると同時にその切口部を挟持するようにして、片手だけで果樹の収穫を図る果樹鋏が提案されている。特許文献１の果樹鋏は、把杆１，２を有する主体３，４を螺子５で枢着し、主体３に刃部６を該刃部６の衝合部に於いて主体４に受板７を取り付けて且主体３，４の先端に嵌着したビス８，９と前記した螺子５間に弾性板１０、１０’を設けてなる果樹鋏の構造が開示されており、刃部６と受板７とによって切断した果樹の根部を弾性板１０、１０’で挟持して保持するものであった。なお、符号は特許文献１に記載されたものである。
【先行技術文献】
【特許文献】
【０００３】
【特許文献１】実公昭３４−１５４３９号公報
【考案の概要】
【考案が解決しようとする課題】
【０００４】
特許文献１の果樹鋏では、果実の根部を保持する弾性板自体の幅が極めて狭く、かつ各弾性板が刃部及び受板に対して略隙間無く密接した位置に固定して取り付けられている構造であった。したがって、特許文献１の果樹鋏をベビーリーフのように柔らかくて傷付きやすく、地面から上に伸びているものを収穫するのに用いた場合には、弾性板による強い圧力での挟持状態となるとともに、切口部の端部を挟持するのでベビーリーフを把持した状態の安定性も悪かった。その結果、葉を傷付けて商品として出荷できなかったり価値の低下を招くおそれが高いと同時に、挟持したベビーリーフが不安定になるので結局は他方の手を使う必要があり作業能率が劣る問題があった。さらに、様々な種類の野菜や果物類に応じて挟持位置を調整することができないので、特定の果実の収穫のみに用途が限定されていた。また、果樹鋏の構造は製作段階から専用に加工された特殊な構造であるから既存の農園芸用鋏等を利用して製作できず特注品となり、製造コストも高くついていた。また、切った対象物を全て挟持する構造であるので、商品として出荷対象外となる小さいベビーリーフも含めて収穫してしまう結果、収穫作業後に収穫箱等から別途に小さなものを取り除く分別作業が必要であり煩雑で重労働であった。
【０００５】
本考案は、上記従来の課題に鑑みてなされたものであり、その一つの目的は、種々の野菜や果物類を切断して収穫する際に安定した状態で確実に挟持するとともに商品価値を低下させることもなく、低労力かつスムーズに収穫作業を行える野菜・果物類の収穫具を提供することにある。さらに、他の目的は、簡単な構造で低コストで製造できる野菜・果物類の収穫具を提供することにある。さらに、他の目的は、収穫作業と同時に商品として対象外となる小さな野菜等を除いて収穫できる野菜・果物類の収穫具を提供することにある。
【課題を解決するための手段】
【０００６】
上記課題を解決するために本考案は、野菜や果物類の茎枝部を切断すると同時に該茎枝部を挟持しながら収穫操作する手動式の野菜・果物類の収穫具であって、１対の操作柄１６ａ、１６ｂを枢軸１８回りに開閉操作して１対の切断刃２０ａ、２０ｂを開閉する鋏体１２と、切断刃２０ａ、２０ｂの切断平面２２の一方側Ｓにそれぞれ固定配置され、切断刃２０ａ、２０ｂとともに開閉して、切断刃による茎枝部の切断と同時に該茎枝部を挟持する１対の挟持部材１４ａ、１４ｂ（１４ｃ、１４ｄ）（１４ｅ、１４ｆ）と、を備え、１対の挟持部材１４ａ、１４ｂは、それぞれ切断刃の切断平面２２から離隔した位置であって切断刃の長手方向に沿うように延在させて閉鎖時に互いに対向する挟持部２６を有し、切断刃の切断平面２２に近接する側の挟持部の縁端位置２６Ｅが、切断平面２２から１つの切断刃の刃厚の２倍以上離隔した位置に設定されたことを特徴とする野菜・果物類の収穫具１０から構成される。鋏体１２は、例えば、周知の農園芸用鋏等に挟持部材を取り付けて製造することとしてもよい。
【０００７】
また、操作柄１６ａ、１６ｂに一端側を支持されて、１対の挟持部材１４ａ、１４ｂ（１４ｃ、１４ｄ）（１４ｅ、１４ｆ）をそれぞれ切断刃２０ａ、２０ｂに固定させる固定手段２８が設けられたこととしてもよい。固定手段の一端側の操作柄への支持方法は、例えば、ネジ止め、溶接、クランプ等その他任意の方法でもよい。
【０００８】
また、固定手段２８は、一端側を操作柄１６ａ、１６ｂに支持させるとともに、他端側に挟持部材１４ａ、１４ｂ（１４ｃ、１４ｄ）（１４ｅ、１４ｆ）を接続支持させる中間支持板３０、３０ｂを含むこととしてもよい。中間支持板には枢支連結構造等が不要でありシンプルな構造で製造できる。
【０００９】
また、挟持部材１４ａ、１４ｂ（１４ｃ、１４ｄ）（１４ｅ、１４ｆ）の閉鎖時の対向間隙Ｇ幅を変更させ、かつ任意の変更位置で固定する挟持幅調整部５０が設けられたこととしてもよい。
【００１０】
また、切断平面２２からの挟持部２６の離隔距離（Ｈ）が異なる複数の挟持部材を有し、それぞれの挟持部材には、中間支持板３０ａ、３０ｂに対して着脱交換可能に取り付けさせる取付部４０が設けられたこととしてもよい。着脱交換可能な取付部としては、例えば、ネジ固定、クランプ固定等その他任意の着脱可能な構造を採用してもよい。
【００１１】
また、挟持部材１４ａ、１４ｂ（１４ｃ、１４ｄ）（１４ｅ、１４ｆ）の閉鎖時の対向間隙Ｇは、挟持部材の先端側に向けて次第に広くなるように設定されたこととしてもよい。１対の挟持部材の閉鎖時には、挟持部２６が略ハ字状に対向するようになっている。
【００１２】
また、挟持部材１４ａ、１４ｂ（１４ｃ、１４ｄ）（１４ｅ、１４ｆ）の取付部４０は、挟持部材の閉鎖時における対向間隙Ｇの先端側の開放角度と基端側の角度とを同時に変更させる同時変更部４８を含むこととしてもよい。
【００１３】
また、挟持部材１４ａ、１４ｂ（１４ｃ、１４ｄ）（１４ｅ、１４ｆ）は、挟持部２６が切断刃の切断平面２２に対して十分な離隔位置に配置されて該挟持部と切断平面２２との間に十分な幅の空隙５２が形成されたこととしてもよい。空隙５２の幅は１つの切断刃の肉厚の２倍以上に設定されるとよい。
【００１４】
また、挟持部材１４ａ、１４ｂ（１４ｃ、１４ｄ）（１４ｅ、１４ｆ）は、切断刃２０ａ、２０ｂからの起立部分を含めてコ字状、逆Ｌ字状、Ｔ字状のいずれかに形成されたこととしてもよい。
【００１５】
また、挟持部材１４ａ、１４ｂ（１４ｃ、１４ｄ）（１４ｅ、１４ｆ）の挟持部２６は、挟持する茎枝部を傷付けるのを防止しながら滑り止めする滑り止めゴム部材４４で構成されたこととしてもよい。
【考案の効果】
【００１６】
本考案の野菜・果物類の収穫具によれば、野菜や果物類の茎枝部を切断すると同時に該茎枝部を挟持しながら収穫操作する手動式の野菜・果物類の収穫具であって、１対の操作柄を枢軸回りに開閉操作して１対の切断刃を開閉する鋏体と、切断刃の切断平面の一方側にそれぞれ固定配置され、切断刃とともに開閉して、切断刃による茎枝部の切断と同時に該茎枝部を挟持する１対の挟持部材と、を備え、１対の挟持部材は、それぞれ切断刃の切断平面から離隔した位置であって切断刃の長手方向に沿うように延在させて閉鎖時に互いに対向する挟持部を有し、切断刃の切断平面に近接する側の挟持部の縁端位置が、切断平面から１つの切断刃の刃厚の２倍以上離隔した位置に設定されたことから、野菜や果物類の茎や枝等の切断位置からある程度離隔した位置で該野菜や果物類を挟持させるので、切断した野菜や果物類を安定した状態で確実に挟持できるとともに、挟持する野菜や果物類を傷つけにくく、収穫物の商品価値を維持しながら片手だけで効率良く、軽労力でスムーズに収穫作業を行える。
【００１７】
また、操作柄に一端側を支持されて、１対の挟持部材をそれぞれ切断刃に固定させる固定手段が設けられた構成とすることにより、焼入れにより高硬度の刃が形成されて加工しにくい切断刃側には加工を施す必要がなく、比較的簡単に加工できる操作柄に支持させた固定手段を介して挟持部材を適切な切断平面からの離隔位置に簡単に取り付けることができ、製作しやすい。さらに、切断刃の形状に左右されず挟持部材を安定した状態で支持させることができる。よって、既設の鋏等に挟持部材を簡単に取り付けて低コストで製造することができる。
【００１８】
また、固定手段は、一端側を操作柄に支持させるとともに、他端側に挟持部材を接続支持させる中間支持板を含む構成とすることにより、重量化、複雑化、大型化させることなく、簡単な構成で低コストで固定手段を実現できる。
【００１９】
また、挟持部材の閉鎖時の対向間隙幅を変更させ、かつ任意の変更位置で固定する挟持幅調整部が設けられた構成とすることにより、１つの収穫具だけで、収穫対象の野菜や果物類の種類や栽培状況等に応じて挟持部材の対向間隙幅を変更しながら収穫できる。したがって、収穫時に野菜や果物類を傷つけて商品価値を低下させるようなことがなく、確実に野菜等を挟持して収穫でき、作業性を向上できる。
【００２０】
また、切断平面からの挟持部の離隔距離が異なる複数の挟持部材を有し、それぞれの挟持部材には、中間支持板に対して着脱交換可能に取り付けさせる取付部が設けられた構成とすることにより、収穫対象の野菜や果物類の種類等に応じて挟持部材を着脱交換して、切断平面からの挟持部の離隔位置を変更しながら収穫できる。その結果、野菜や果物類を傷つけることなく確実に野菜等を挟持しながら収穫でき、商品価値を低下させることがないと同時に、作業性を向上できるうえ、一つの鋏体に対して複数の挟持部材を着脱交換させるだけで多種の野菜や果物類に対応した収穫を行え、使い勝手が良く、費用対効果が高い。
【００２１】
また、挟持部材の閉鎖時の対向間隙は、挟持部材の先端側に向けて次第に広くなるように設定された構成とすることにより、例えば、ベビーリーフのように密集している野菜等の茎枝部を切断する際に、鋏体の切断刃が基端側から次第に閉鎖されていく構造により切断した野菜等が次第に先端側にずれ移動して集まっていくのに対応して、先端側の開放角度を広くして先端側に集まる野菜等を傷つけることなく挟持できる。よって、野菜や果物類の商品価値を低下させることがなく、スムーズに収穫作業できる。
【００２２】
また、挟持部材の取付部は、挟持部材の閉鎖時における対向間隙の先端側の開放角度と基端側の角度とを同時に変更させる同時変更部を含む構成とすることにより、野菜や果物類の種類等に応じて挟持部材の対向間隙の先端側の開放角度と基端側の角度を微調整することができ、野菜等を傷つけることなく確実に挟持できる。
【００２３】
また、挟持部材は、挟持部が切断刃の切断平面に対して十分な離隔位置に配置されて該挟持部と切断平面との間に十分な幅の空隙が形成された構成とすることにより、ある程度大きな野菜や果物類等を挟持部により挟持されるが、空隙の幅よりも小さな野菜等は挟持されず、該空隙を介して落とすことができる。したがって、野菜等の収穫作業と同時に収穫物の大きさの選別を行えるので、利便性が良く作業性を向上しうる。
【００２４】
また、挟持部材は、切断刃からの起立部分を含めてコ字状、逆Ｌ字状、Ｔ字状のいずれかに形成された構成とすることにより、挟持部と切断刃との間に十分な幅の空隙の形成する挟持部材を簡単な構成で実現できる。さらに、収穫する際に、野菜や果物類が密集している場合でも、挟持部材が隣接する野菜等を傷つけたり、邪魔になったりしにくい。
【００２５】
また、挟持部材の挟持部は、挟持する枝茎部を傷付けるのを防止しながら滑り止めする滑り止めゴム部材で構成されたこととすることにより、滑り止めゴム部材により、挟持した野菜や果物類等を傷つけることがないとともに、より挟持状態の保持力を向上して該野菜や果物類の落下を確実に防止しながら能率良く作業できる。さらに、使用後に野菜等の茎枝部の切断面から出る液汁等で汚れやすい挟持部を滑り止めゴム部材を交換するようにすると、衛生的に利用できる。
【図面の簡単な説明】
【００２６】
【図１】本考案の第１の実施形態に係る野菜・果物類の収穫具の平面図である。
【図２】図１の野菜・果物類の収穫具の正面図である。
【図３】図１の野菜・果物類の収穫具の先端側から見た側面図である。
【図４】図１の野菜・果物類の収穫具の開いた状態の説明図である。
【図５】図４の野菜・果物類の収穫具の斜視図である。
【図６】図１の野菜・果物類の収穫具の挟持部材の斜視説明図である。
【図７】挟持部材の位置及び対向間隙幅の変更調整の説明図である。
【図８】図１の野菜・果物類の収穫具の収穫時の作用説明図である。
【図９】図１の野菜・果物類の収穫具の収穫時の作用説明図である。
【図１０】図１の野菜・果物類の収穫具の挟持部材の分離状態、及び複数の挟持部材を着脱交換する説明図である。
【図１１】本考案の第２の実施形態に係る野菜・果物類の収穫具の正面図である。
【図１２】図１１の野菜・果物類の収穫具の先端側から見た側面図である。
【図１３】図１１の野菜・果物類の収穫具の挟持部材の斜視説明図である。
【図１４】挟持部材の他の形態の斜視説明図である。
【図１５】挟持部材の他の形態の斜視説明図である。
【図１６】本考案の第３の実施形態に係る野菜・果物類の収穫具の平面図である。
【考案を実施するための形態】
【００２７】
以下、添付図面を参照しつつ本考案の野菜・果物類の収穫具の実施の形態について説明する。本考案の野菜・果物類の収穫具は、野菜や果物類の茎部や枝部等を切断すると同時に該茎部や枝部等を挟持しながら収穫操作する手動式の収穫具である。図１ないし図８は、本考案に係る野菜・果物類の収穫具の第１の実施形態を示している。図１、図２、図３に示すように、本実施形態において、野菜・果物類の収穫具１０は、鋏体１２と、１対の挟持部材１４ａ、１４ｂと、を備えている。
【００２８】
図１、図２、図４に示すように、鋏体１２は、収穫対象の野菜又は果物類の茎枝部挟んで切断する収穫具における切断手段である。なお、本実施形態では、茎枝部とは野菜や果物の茎部や枝部、さらに茎と葉の基部をつないでいる葉柄等の茎様のものを含む。鋏体１２は、１対の操作柄１６ａ、１６ｂを枢軸１８回りに開閉操作して１対の切断刃２０ａ、２０ｂを開閉するように構成されている。例えば、刃厚が２〜３ｍｍ程度で片側に刃が形成された２つの切断刃２０ａ、２０ｂの基部側に、それぞれ一方に長い操作柄１６ａ、１６ｂの一端部が連結されており、それらの切断刃２０ａ、２０ｂの刃裏側を互いに合わせつつ重ね合わせた状態で、該切断刃の基部側を枢軸１８を介して開閉自在に枢支されている。図２、図３に示すように、１対の切断刃２０ａ、２０ｂが互いに交差する噛み合い面であり、互いに重ね合わせた刃裏面間を含むような仮想的な平面を切断平面２２としている。図１、図４、図５に示すように、操作柄１６ａ、１６ｂの間には、該操作柄を開く方向すなわち、切断刃を開く方向に付勢するバネ部材２４が設けられている。また、１つの操作柄１６ｂの延長端部には、バネ部材２４に抗して操作柄１６ａ、１６ｂの閉鎖状態を保持するための止め環２５が設けられている。
【００２９】
挟持部材１４ａ、１４ｂは、切断刃２０ａ、２０ｂの切断平面２２の一方側Ｓ、図２、図３上では切断平面２２に対して上方側に、挟持部２６を配置させて固定されており、切断刃２０ａ、２０ｂとともに開閉して、該切断刃による野菜又は果物類の茎枝部の切断と同時に該茎枝部を挟持して保持する挟持手段である。挟持部材は切断した茎枝部とともに野菜や果物の葉や果実等の一部を挟持するようにしてもよい。本実施形態では、図１、図２に示すように、挟持部材１４ａ、１４ｂは、一端側を操作柄１６ａ、１６ｂに支持した固定手段２８を介して、それぞれ切断刃２０ａ、２０ｂ側に固定配置されている。
【００３０】
固定手段２８は、例えば、２つの中間支持板３０ａ、３０ｂを含む。図１、図５、図１０に示すように、中間支持板３０ａ、３０ｂは、例えば、金属製又はプラスチック等の硬質素材から形成された、平面視略く字状の細長い板部材からなる。中間支持板３０ａ、３０ｂは、それぞれ鋏体１２の両外側面側に配置され、一端側を各操作柄１６ａ、１６ｂの端部側に例えば固定ネジ３２等の任意の固定手段を介して支持されるとともに、他端側を切断刃２０ａ、２０ｂの刃表面側に該切断刃の長手方向に沿って延長している。そして、各中間支持板３０ａ、３０ｂの切断刃側への延長他端側に挟持部材１４ａ、１４ｂを着脱固定用ネジ３４等の任意の着脱固定手段により、着脱可能に接続支持している。中間支持板３０ａ、３０ｂは、切断刃の先端側へ向けて細くなる刃体形状と略同様に先端側へ向けて細くなるように形成されており、切断刃の幅方向へはほとんど突出しないようになっている。それぞれの中間支持板３０ａ、３０ｂを介して、一方の切断刃２０ａに一つの挟持部材１４ａが、他方の切断刃２０ｂに他の挟持部材１４ｂが、固定されている。これにより、挟持部材１４ａ、１４ｂは、切断刃２０ａ、２０ｂの開閉動作に同期して開閉動作する。各中間支持板３０ａ、３０ｂの切断刃側への延長他端部には、着脱固定用ネジ３４を受けるネジ孔３６（図１０参照）が２箇所に板面を貫通するように形成されている。中間支持板の中間部には、鋏体１２の枢軸１８に対応して孔が穿孔されている。操作柄１６ａ、１６ｂに中間支持板を支持させることにより、焼入れされて高硬度に形成される切断刃と異なって操作柄側のネジ穴等の加工を比較的簡単に行って、挟持部材の支持構成を簡単に実現できる。また、切断刃の刃先側へ傾斜するような刃面形状等に左右されることなく挟持部材を安定した状態で開閉可能な構造で支持させることができる。
【００３１】
図１、図２、図３に示すように、各挟持部材１４ａ、１４ｂは、閉鎖時に互いに対向して野菜等の茎枝部等を挟む部分となる挟持部２６と、挟持部２６を切断平面２２から離隔した位置に配置させてそれぞれの中間支持板３０ａ、３０ｂに支持させる離隔支持片３８と、を含む。挟持部２６は、切断平面２２から離隔した位置Ｈで切断刃２０ａ、２０ｂの長手方向に沿うように延在されている。挟持部２６は、切断平面２２に近接する側の該挟持部の縁端位置２６Ｅが、切断平面２２から１つの切断刃２０ａの刃厚Ｄの２倍の幅で離隔した位置Ｈに設定されている。なお、挟持部２６の縁端位置２６Ｅは、例えば、図１１、図１２に示した第２の実施形態のように、切断平面２２から１つの切断刃の刃厚Ｄの２倍以上離隔した位置Ｈであれば任意でもよく、収穫対象の野菜や果物類の種類に応じて設定されるとよい。図２、図３、図６に示すように、離隔支持片３８は、例えば、金属又はプラスチック等の硬質素材から形成されており、挟持部２６に対応して切断刃２０ａ、２０ｂの長手方向に沿うように延在されている。離隔支持片３８は、それぞれ中間支持板３０ａ、３０ｂに面合わせ状に当着して着脱固定用ネジ３４を介して取付られる取付部４０と、取付部４０からＬ字状に起立され上端側に挟持部２６が形成される起立部４２と、を含むＬ字部材からなり、Ｌ字状に屈曲した板片で一体的に形成されている。例えば、取付部４０は平面視で切断刃の形状と略同様に基部側から先端側に向けて細くなるように形成された板片からなり、起立部４２は横長矩形状の板片からなる。
【００３２】
２つの挟持部材１４ａ、１４ｂは、それぞれの取付部４０が切断平面２２を挟んで各切断刃２０ａ、２０ｂの外面側に配置されるとともに、それぞれの挟持部２６を切断平面２２の一方側Ｓの同じ離隔位置に配置させているので、それぞれの起立部４２の高さが異なっている。切断平面２２の一方側Ｓに配置された切断刃２０ａ側に取付られる起立高さの低い挟持部材１４ａは、該切断刃２０ａの刃表に沿って配置された中間支持板３０ａに取付部４０の下面側を面合わせ状に当着させて、上方側から着脱固定用ネジ３４で固定されている。切断平面２２の他方側Ｔに配置された切断刃２０ｂ側に取付けられる起立高さの高い挟持部材１４ｂは、該切断刃２０ｂの刃表に沿って配置された中間支持板３０ｂに、取付部４０の上面側を面合わせ状に当着させて、下方側から着脱固定用ネジ３４で固定されている。挟持部材１４ｂの起立部４２は、切断刃２０ａ、２０ｂを迂回状にしながら切断平面２２の他方側Ｔから一方側Ｓまで延設されている。
【００３３】
各挟持部材の起立部４２の上端部であって閉鎖時に対向する内面側に滑り止めゴム部材４４が張設され、該滑り止めゴム部材４４が挟持部２６を構成している。すなわち滑り止めゴム部材４４の外形輪郭が挟持部２６の外形輪郭となっており、上述のような切断平面２２からの離隔位置Ｈに設定されている。滑り止めゴム部材４４は、例えば、３ｍｍ程度の厚みで帯板状の一方に長いシリコンゴムからなり、弾力クッション性や滑り止め効果等のゴム特有の素材性質を利用して、野菜や果物類の茎枝部を挟持した際に該野菜等を傷つけるのを防止しながら滑り止めして確実に挟持する。滑り止めゴム部材４４の起立部に当着する裏面側は粘着面となっており、粘着面を介して該起立部４２に着脱交換可能に貼付けられる。よって、必要に応じて滑り止めゴム部材４４を異なる厚みのものに変更したり、作業後等に汚れた際には新しいものと交換して衛生的に利用することができる。
【００３４】
図１、図６に示すように、挟持部材１４ａ、１４ｂの取付部４０には、着脱固定用ネジ３４の雄ネジ部を貫通させる長孔４６が形成されている。長孔４６は、着脱固定用ネジ３４の雄ネジ部の径より大きな幅で、かつ切断刃の幅方向すなわち枢軸回り略接線方向に向けて長く形成されている。挟持部材１４ａ、１４ｂは、長孔４６の幅よりも大きな径の座金を介在して着脱固定用ネジ３４によって中間支持板３０ａ、３０ｂに対して着脱可能に固定されている。挟持部材１４ａ、１４ｂは、中間支持板３０ａ、３０ｂに着脱可能であるので、例えば、図１０に示すように、切断平面２２からの挟持部２６の離隔位置Ｈが異なる他の対の挟持部材１４ｃ、１４ｄ等、複数対の挟持部材を用意しておき、必要に応じて任意の挟持部材に交換することができる。これにより、一つの鋏体に対して挟持部の位置が異なる挟持部材を着脱交換するだけで収穫する野菜や果物類の種類に適応した収穫を行えるので、便利でありコストパフォーマンスも良い。
【００３５】
図１、図７（ａ）に示すように、挟持部材１４ａ、１４ｂの閉鎖時に挟持部２６は平面視で略ハ字状となるように配置されており、該挟持部２６間の対向間隙Ｇは、挟持部材の先端側に向けて次第に広くなるように設定されている。図８に示すように、１対の切断刃２０ａ、２０ｂで密集している多数の野菜や果物の茎枝部を切断する際には基部側から次第に閉鎖していくので、切断された野菜等も次第に先端側へずれ移動して集まっていく。本実施形態のように、挟持部２６をハ字状にして間隙Ｇの先端側を開放しているので、次第に先端側に集まってくる切断された野菜等を傷つけないように良好に挟持することができる。さらに、長孔４６の幅がネジ部より大きく設けられているので、図７（ａ）の仮想線に示すように、必要に応じて着脱固定用ネジ３４を緩めて先端側の開放角度と基端側の角度とを同時に変更させて、任意の角度でネジを締めることにより微調整を行える。すなわち、挟持部材の長孔４６が形成された取付部４０と着脱固定用ネジ３４により、挟持部材１４ａ、１４ｂの閉鎖時における対向間隙Ｇの先端側の開放角度と基端側の角度とを同時に変更させる同時変更部４８を実現している。さらに、図７（ｂ）に示すように、長孔４６を介して挟持部２６を平行な配置状態とすることもできる。加えて、図７（ｂ）（ｃ）に示すように、それぞれの挟持部材１４ａ、１４ｂは、長孔４６を介して幅方向の取付位置を変更することも可能であり、着脱固定用ネジ３４を緩めて挟持部材の位置を変更して閉鎖時の挟持部の対向間隙幅Ｇを変更させた後、任意の変更位置で着脱固定用ネジ３４を締めて固定することができる。すなわち、挟持部材の長孔４６が形成された取付部４０と着脱固定用ネジ３４により、挟持部材の閉鎖時の対向間隙Ｇ幅を変更させ、かつ任意の変更位置で固定する挟持幅調整部５０を実現している。長孔４６は同時変更部４８と挟持幅調整部５０とを兼用している。なお、図７（ｃ）では、１対の挟持部材１４ａ、１４ｂは、互いの挟持部２６が当着する位置まで変更可能となっている。
【００３６】
次に、本考案に係る野菜・果物類の収穫具１０の作用について説明する。図９に示すように、野菜・果物類の収穫具１０を用いて、例えば、丈が７ｃｍ程度に成長したほうれん草やベビーリーフを収穫する際には、挟持部材１４ａ、１４ｂの挟持部を上方側に向けた状態で操作柄１６ａ、１６ｂを片手で握りながら切断刃２０ａ、２０ｂを、密集しているベビーリーフの地面側の茎枝部に位置合わせし（図９ａ）、操作柄を操作しながら切断刃により切断していく（図９ｂ）。該ベビーリーフの切断と同時に、挟持部材１４ａ、１４ｂが閉鎖して該切断したベビーリーフの茎枝部を挟持する。挟持状態のまま収穫箱等まで運んだ後（図９ｃ）、挟持部材を開いてベビーリーフを開放して収穫箱等に収集していく。この際、挟持部材１４ａ、１４ｂの挟持部２６は、切断平面２２から切断刃の刃厚の２倍以上離隔した位置に配置されるとともに、挟持部材には滑り止めゴム部材４４が張設されているので、柔らかいベビーリーフを傷付けずに、しかも安定した状態で滑り落ちることなく確実に挟持できる。よって、ベビーリーフの高い商品価値を維持しながら、片手操作でスムーズに収穫作業を行え、作業能率を向上して労力を軽減することができる。
【００３７】
次に、図１１ないし図１３を参照しつつ本考案の野菜・果物類の収穫具の第２の実施形態について説明する。第１実施形態と同一部材には同一符号を付し、その詳細な説明は省略する。図１１、図１２、図１３に示すように、本実施形態に係る野菜・果物類の収穫具１０ａは、第１の実施形態と鋏体１２の構成は同じであるが、挟持部材１４ｃ、１４ｄの構成が第１実施形態と異なっている。本実施形態では、挟持部材１４ｃ、１４ｄは、取付部４０から起立している起立部４２ａの形状が正面視でコ字状に形成され、コ字内側に矩形状の空隙５２を有している。すなわち、挟持部２６と切断刃との間には空隙５２が形成されている。さらに、挟持部材１４ｃ、１４ｄは、切断平面２２に近接する側の挟持部２６の縁端位置２６Ｅが、１つの切断刃２０ａの刃厚Ｄの約１０倍程度の離隔位置Ｈに設定されている。よって、挟持部材１４ｃ、１４ｄは、挟持部２６が切断刃の切断平面２２に対して例えば２〜３ｃｍ程度の十分な離隔位置に配置されており、該挟持部２６と切断平面２２との間に２〜３ｃｍ程度の十分な幅の空隙５２が形成されている。挟持部材１４ｃ、１４ｄにこのような空隙５２を形成したことにより、例えば、ベビーリーフ等を収穫する際に、切断されたベビーリーフのうち、空隙５２の高さ幅よりも小さい１〜２ｃｍ程度以下の大きさのものは挟持されることなく空隙５２を介して外部へ逃がして落下することとなり、空隙５２の高さ幅よりも大きなものだけを挟持して選別して収穫できる。その結果、ベビーリーフの大きさの選別を収穫作業と同時に行えるので、収穫作業後に別途に選別作業を行う必要がなく、作業効率の向上、労力軽減、作業時間の短縮を実現できる。なお、空隙５２の高さ幅は、例えば、１つの切断刃の刃厚の２倍以上の幅で形成されれば任意でよく、収穫対象の野菜や果物類の種類に対応して空隙を設定するとよい。挟持部材１４ｃ、１４ｄの起立部の構成はコ字状に限らず、図１４に示すような逆Ｌ字状（４２ｂ）または図１５に示すようなＴ字状（４２ｂ）に構成してもよい。
【００３８】
次に、図１６を参照しつつ本考案の野菜・果物類の収穫具の第３の実施形態について説明する。第１実施形態と同一部材には同一符号を付し、その詳細な説明は省略する。図１６に示すように、本実施形態に係る野菜・果物類の収穫具１０ｂは、挟持部材１４ｅ、１４ｆの鋏体１２への支持構造が異なっている。本実施形態では、挟持部材１４ｅ、１４ｆは、上記実施形態のように中間支持板を介在させずに、切断刃２０ａ、２０ｂの刃表面にそれぞれ直接的に固定している。したがって、切断刃２０ａ、２０ｂにネジ穴を形成して、着脱固定用ネジ３４を介して挟持部材１４ｅ、１４ｆを固定して、その挟持部２６を切断平面２２から切断刃の刃厚の２倍以上の離隔位置に配置させている。例えば、鋏体の製作時に、焼入れ前に切断刃にネジ穴を形成したり、又は比較的高度が低い切断刃を利用したりして製作される。本実施形態では、上記の第１、第２実施形態と比較して、部品点数を減らすことができ、よりシンプルな構成で製造することもできる。なお、挟持部材の切断刃への支持は、例えば、接着や溶接等の任意の固定手段又はその他の着脱可能な固定手段でもよい。
【００３９】
以上説明した本考案の野菜・果物類の収穫具は、上記した実施形態のみの構成に限定されるものではなく、実用新案登録請求の範囲に記載した本考案の本質を逸脱しない範囲において、任意の改変を行ってもよい。例えば、鋏体１２や挟持部材１４ａ、１４ｂの大きさ、形状等は上記実施形態のものに限らず、任意の大きさ形状のものでもよい。
【産業上の利用可能性】
【００４０】
本考案の野菜・果物類の収穫具は、例えば、葉野菜、実野菜、根野菜等を含む種々の野菜や種々の果物類等を収穫する際に利用できる。
【符号の説明】
【００４１】
１０    野菜・果物類の収穫具
１０    収穫具
１２    鋏体
１４ａ〜１４ｆ      挟持部材
１６ａ、１６ｂ  操作柄
１８    枢軸
２０ａ、２０ｂ  切断刃
２２    切断平面
２６    挟持部
２８    固定手段
３０ａ、３０ｂ    中間支持板
４０    取付部
４４    滑り止めゴム部材
４８    同時変更部
５０    挟持幅調整部
５２    空隙
【図１】
0003153749.tif 000003
【図２】
0003153749.tif 000004
【図３】
0003153749.tif 000005
【図４】
0003153749.tif 000006
【図５】
0003153749.tif 000007
【図６】
0003153749.tif 000008
【図７】
0003153749.tif 000009
【図８】
0003153749.tif 000010
【図９】
0003153749.tif 000011
【図１０】
0003153749.tif 000012
【図１１】
0003153749.tif 000013
【図１２】
0003153749.tif 000014
【図１３】
0003153749.tif 000015
【図１４】
0003153749.tif 000016
【図１５】
0003153749.tif 000017
【図１６】
0003153749.tif 000018